(57)【要約】【課題】動作中であっても周辺基板を自在に挿抜でき、挿抜の際のデータ伝送を誤りなく自動的に処理できるデータ伝送制御装置を提供する。【解決手段】本発明のデータ伝送制御装置は、主制御基板２０および複数の周辺基板２１，２２，２３がバックボード３０に抜去可能に挿入され、主制御基板は、バックボードを介して各周辺基板を順次のタイミングで駆動してデータ処理を行う。各周辺基板は、周辺基板の抜去または挿入を設定するための活線挿抜用スイッチ２１ａ，２２ａ，２３ａと、周辺基板の動作状態を表示するための状態表示器である状態表示用ＬＥＤ２１ｂ，２２ｂ，２３ｂとを有し、主制御基板は、各周辺基板の活線挿抜用スイッチの設定により、設定された周辺基板の抜去または挿入を電気的な衝撃を緩和して実行させ、表示が必要な周辺基板の動作状態を状態表示用ＬＥＤ２に表示させる。【選択図】        図１
2004213391.tif 000002
【特許請求の範囲】
【請求項１】
主制御基板および複数の周辺基板がバックボードに抜去可能に挿入され、主制御基板は、バックボードを介して各周辺基板を順次のタイミングで駆動してデータ処理を行うデータ伝送制御装置であって、
各周辺基板は、周辺基板の抜去または挿入を設定するための活線挿抜用スイッチと、周辺基板の動作状態を表示するための状態表示器とを有し、
主制御基板は、各周辺基板の活線挿抜用スイッチの設定により、設定された周辺基板の抜去または挿入を実行させ、表示が必要な周辺基板の動作状態を状態表示器に表示させるデータ伝送制御装置。
【請求項２】
請求項１に記載のデータ伝送制御装置において、
活線挿抜用スイッチが挿入位置に設定されて作動している周辺基板の活線挿抜用スイッチが抜去を設定する位置に切り替えられると、主制御基板は、当該周辺基板とのデータ処理を終了し、終了した旨を当該周辺基板に通知し、その通知に基づき、当該周辺基板は、バックボードに接続された出力端をハイインピーダンスにするとともに、抜去可能になったことを当該周辺基板の状態表示器に表示するデータ伝送制御装置。
【請求項３】
請求項１又は請求項２に記載のデータ伝送制御装置において、
活線挿抜用スイッチが抜去位置に設定された周辺基板が、周辺基板未装着の個所に挿入されると、当該周辺基板は、バックボードに接続される出力端をハイインピーダンスに維持するとともに、当該周辺基板が挿入されたことを状態表示器に表示し、活線挿抜用スイッチが挿入位置に切り替えられると、その切り替えを主制御基板に通知し、通知を受けた主制御基板は、当該周辺基板との動作状態をデータ処理実行可能に設定して当該周辺基板に通知し、当該周辺基板は主制御基板とのデータ処理動作にはいるとともに、その旨を状態表示器に表示するデータ伝送制御装置。
【発明の詳細な説明】
【０００１】
【発明の属する技術分野】
本発明はデータ伝送装置に関し、特に、主制御基板および複数の周辺基板がバックボードに抜去可能に挿入され、主制御基板は、バックボードを介して各周辺基板を順次のタイミングで駆動してデータ処理を行うデータ伝送制御装置に関する。
【０００２】
【従来の技術】
図６は、データ伝送制御装置が作動しているときに、基板を本体に対して抜去あるいは挿入することができる従来例を示している。このデータ伝送制御装置２００においては、筐体５０の上下部分の内壁に対向するように溝（不図示）が前方から後方に向かって形成されている。各溝をガイドとして、主制御基板６０および主制御基板６０に制御されてデータ伝送における各スロットＳＬＯＴ１，ＳＬＯＴ２，ＳＬＯＴ３（図８、図９）の信号を扱う周辺基板６１，６２，６３が矢印ＤＢの方向に挿入あるいは抜去できるようにされている。挿入が完了した場合、基板６０，６１，６２，６３は、筐体５０の奧部のバックボード７０に配置されたコネクタ（不図示）を介してバックボード７０に接続された状態になる。
【０００３】
図６の状態は、主制御基板６０および周辺基板６１，６２が完全に挿入されて動作している場合に、周辺基板６３が挿入あるいは抜去されるところを示している。周辺基板６３の挿入の場合には、電源供給用のケーブル７１つきのコネクタ７２を周辺基板６３に装着し、動作状態にした周辺基板６３をバックボード７０に装着し、電源がバックボード７０の方からも供給される状態にした後にコネクタ７２を周辺基板６３から取り外す。周辺基板６３を抜去する場合には、バックボード７０に装着されて動作状態の周辺基板６３に対し、ケーブル７１つきのコネクタ７２を装着し、バックボード７０とコネクタ７２とから電源が供給されるようにした後に周辺基板６３を抜去する。なお、公知文献としては、上記技術と異なる処理技術を有する特許文献１が知られている。その他の例として、バックボードと周辺基板を接続するコネクタに関して、ピンの長さを２種類用意し、電源及びグランドを長いピンに割り当て、先に接続する構造にして、短い方のピンを信号ピンに割り当て、電源が安定してから、接続される様な構造になっているコネクタを利用する場合もある。
【０００４】
【特許文献１】
特開平４−５８４８０号公報（第３−４頁、第１図）
【０００５】
【発明が解決しようとする課題】
上述した従来のデータ伝送制御装置においては、周辺基板６３に対し、バックボード７０とコネクタ７２とから電源を供給した後に、周辺基板６３を抜去あるいは挿入しているので、周辺基板の挿抜の際の電気的衝撃をある程度緩和させることができるが、挿入あるいは抜去の際に、ケーブル７１およびコネクタ７２を装着しなければならず、取り扱いが面倒である。また、周辺基板６１，６２，６３の出力端は、図７に示すようにトライステートデバイス６１ｄ，６２ｄ，６３ｄで構成されおり、周辺基板６１，６２，６３によって図８のように順次にＳＬＯＴ１，ＳＬＯＴ２，ＳＬＯＴ３の信号が処理されている場合に、例えば、出力イネーブル信号が与えられて動作中の周辺基板６３が図９に示すように突然抜去されると、正常な伝送データが主制御基板６０に伝送されず、誤りが発生してしまう。
【０００６】
本発明は、動作中であっても周辺基板を自在に挿抜でき、挿抜の際のデータ伝送を誤りなく自動的に処理でき、かつ、挿抜の際に従来のようなケーブルを使用する必要がないデータ伝送制御装置を提供することを目的とする。
【０００７】
【課題を解決するための手段】
前述した課題を解決するために、本発明は、主制御基板および複数の周辺基板がバックボードに抜去可能に挿入され、主制御基板は、バックボードを介して各周辺基板を順次のタイミングで駆動してデータ処理を行うデータ伝送制御装置であって、各周辺基板は、周辺基板の抜去または挿入を設定するための活線挿抜用スイッチと、周辺基板の動作状態を表示するための状態表示器とを有し、主制御基板は、各周辺基板の活線挿抜用スイッチの設定により、設定された周辺基板の抜去または挿入を電気的な衝撃を緩和して実行させ、表示が必要な周辺基板の動作状態を状態表示器に表示させる。
【０００８】
このような構成によれば、周辺基板を抜去したい場合、活線挿抜用スイッチを抜去位置に切り替え、状態表示器による抜去可能の表示を確認の上、周辺基板を抜去することにより、主制御基板によるデータ処理に雑音や電気的衝撃を与えることなく周辺基板を抜去できる。また、周辺基板を挿入したい場合、活線挿抜用スイッチを抜去位置にして挿入すれば、抜去時と同じ状態になるので、活線挿抜用スイッチを挿入位置に切り替えれば、主制御基板が自動的に周辺基板をデータ処理可能状態に設定し、その旨を状態表示器に表示させる。
【０００９】
また、本発明では、活線挿抜用スイッチが挿入位置に設定されて作動している周辺基板の活線挿抜用スイッチが抜去を設定する位置に切り替えられると、主制御基板は、当該周辺基板とのデータ処理を終了し、終了した旨を当該周辺基板に通知し、その通知に基づき、当該周辺基板は、バックボードに接続された出力端をハイインピーダンスにするとともに、抜去可能になったことを当該周辺基板の状態表示器に表示する。
【００１０】
さらに、本発明では、活線挿抜用スイッチが抜去位置に設定された周辺基板が、周辺基板未装着の個所に挿入されると、当該周辺基板は、バックボードに接続される出力端をハイインピーダンスに維持するとともに、当該周辺基板が挿入されたことを状態表示器に表示し、活線挿抜用スイッチが挿入位置に切り替えられると、その切り替えを主制御基板に通知し、通知を受けた主制御基板は、当該周辺基板との動作状態をデータ処理実行可能に設定して当該周辺基板に通知し、当該周辺基板は主制御基板とのデータ処理動作にはいるとともに、その旨を状態表示器に表示する。
【００１１】
【発明の実施の形態】
以下、本発明の実施の形態について添付図面に基づいて説明する。図１は、本発明のデータ伝送制御装置の実施の形態を示す斜視図、図２は、主制御基板および周辺基板がバックボードに完全に挿入され、動作している場合に、周辺基板をバックボードから抜去する際の動作のプロセスを説明するためのチャート、図３は、主制御基板および周辺基板がバックボードに完全に挿入され、動作している場合に、もう一枚の周辺基板をバックボードに挿入する際の動作のプロセスを説明するためのチャート、図４は、周辺基板の出力回路の例を示す回路図、図５は、図１の周辺基板の挿抜許可用ＬＥＤを駆動するための駆動回路の例を示す回路図である。
【００１２】
図１のデータ伝送制御装置１００においては、筐体１０の上下部分の内壁に対向するように溝（不図示）が形成されている。各溝をガイドとして、主制御基板２０および主制御基板２０に制御されてデータ伝送における各スロットＳＬＯＴ１，ＳＬＯＴ２，ＳＬＯＴ３の信号を扱う周辺基板２１，２２，２３が矢印ＤＡの方向に挿入あるいは抜去できるようにされている。完全に挿入が行われた場合には、基板２０，２１，２２，２３の後縁に配置されたコネクタ（不図示）と、筐体１０の奧部のバックボード３０に配置されたコネクタ（不図示）とが結合し、基板２０，２１，２２，２３のそれぞれとバックボード３０とが接続された状態になる。また、周辺基板２１，２２，２３には、活線挿抜用スイッチ２１ａ，２２ａ，２３ａ、および、周辺基板の動作状態を示す状態表示用ＬＥＤ２１ｂ，２２ｂ，２３ｂがそれぞれ配置されている。
【００１３】
上記の例において、主制御基板２０および周辺基板２１，２２，２３がバックボード３０に完全に挿入され、動作している場合に、図１に示されるように周辺基板２３をバックボード３０から抜去する際の動作について図２を参照して説明する。挿入によりバックボード３０と接続状態にされ、動作中の周辺基板２３に配置された活線挿抜用スイッチ２３ａをオペレータが“オン”に設定する（Ｓ１１）。主制御基板２０は、活線挿抜用スイッチ２３ａが“オン”になった情報を受け取り（Ｓ１２）、該当する周辺基板２３とのデータ伝送を終了させ、周辺基板２３に対して、引き抜きが可能になったことを示すリリース信号を送信する（Ｓ１３）。リリース信号を受け取った周辺基板２３は、バックボード３０に接続されている出力端をハイインピーダンス状態に設定した後、状態表示用ＬＥＤ２３ｂを点灯させる（Ｓ１４）。オペレータは、状態表示用ＬＥＤ２３ｂの点灯を検知して周辺基板２３が抜去可能になったことを確認し、周辺基板２３を筐体１０から引き抜く（Ｓ１５）。したがって、主制御基板２０と周辺基板２３とがデータ処理中に、周辺基板２３が突然引き抜かれるということは防止される。
【００１４】
上記の例において、主制御基板２０および周辺基板２１，２２がバックボード３０に完全に挿入され、動作している場合に、もう一枚の周辺基板２３を図１に示されるようにバックボード３０に挿入する際の動作について図３を参照して説明する。挿入しようとする周辺基板２３の活線挿抜用スイッチ２３ａを“オン”状態にし（Ｓ２１）、周辺基板２３を筐体１０に挿入してバックボード３０と接続させる（Ｓ２２）。この場合、周辺基板２３に電源は供給されるが、活線挿抜用スイッチ２３ａが“オン”状態に設定されているので、周辺基板２３は、その出力端をハイインピーダンス状態にするとともに状態表示用ＬＥＤ２３ｂを点灯させる。
【００１５】
状態表示用ＬＥＤ２３ｂの点灯から、周辺基板２３が稼働開始指示待ち状態になったことを知ったオペレータは、活線挿抜用スイッチ２３ａを“オフ”状態に切り替える（Ｓ２３）。主制御基板２０は、活線挿抜用スイッチ２３ａが“オフ”に切り替えられたという情報を受け取り（Ｓ２４）、それまで出力していたリリース信号を“オフ”にする。リリース信号が“オフ”になると（Ｓ２５）、周辺基板２３は、その出力端をハイインピーダンス状態からアクティブ状態に切り替え、状態表示用ＬＥＤ２３ｂを消灯する（Ｓ２６）。そこで、主制御基板２０は、周辺基板２３を用いたデータ伝送処理を開始することができるようになり、オペレータは、状態表示用ＬＥＤ２３ｂの消灯によって、周辺基板２３の挿入が完了し、周辺基板２３によるデータ伝送処理が開始されたことが認識可能になる（Ｓ２７）。したがって、主制御基板とある周辺基板とがデータ処理中に他の周辺基板が動作可能で突然挿入されるということは防止される。
【００１６】
出力端に関する回路は、例えば、図４のように構成することができる。すなわち、スロットＳＬＯＴ１，ＳＬＯＴ２，ＳＬＯＴ３の信号を扱う周辺基板２１，２２，２３の出力端には、従来と同様に、それぞれトライステートデバイス２１ｄ，２２ｄ，２３ｄが配置されるが、制御ゲートを制御する信号がスイッチ２１ａ，２２ａ，２３ａが“オフ”に切り替えられないと、アクティブにならない。また、状態表示用ＬＥＤの駆動方法は、図５に示されるように、リリース信号を受けるＬＥＤを駆動するインバータＩＶおよびＬＥＤに電源を供給する抵抗Ｒとにより構成すればよい。
【００１７】
なお、本発明において、バックボードと周辺基板を接続するコネクタに関して、上述したように、ピンの長さを２種類用意し、電源及びグランドを長いピンに割り当て、先に接続する構造にして、短い方のピンを信号ピンに割り当て、電源が安定してから、接続される様な構造になっているコネクタを併用することにより、本発明の効果をより高めることができる。
【００１８】
【発明の効果】
本発明のデータ伝送制御装置は、以上において説明したように構成されているので、周辺基板を抜去したい場合、活線挿抜用スイッチを抜去位置に切り替え、状態表示器による抜去可能の表示を確認の上、周辺基板を抜去することにより、主制御基板によるデータ処理に雑音や電気的衝撃を与えることなく周辺基板を抜去できる。また、周辺基板を挿入したい場合、活線挿抜用スイッチを抜去位置にして挿入すれば、抜去時と同じ状態になるので、活線挿抜用スイッチを挿入位置に切り替えれば、主制御基板が自動的に周辺基板をデータ処理可能状態に設定し、その旨を状態表示器に表示させる。したがって、データ伝送制御装置が動作中であっても周辺基板を自在に挿抜でき、主制御基板は挿抜の際のデータ伝送を誤りなく自動的に処理でき、かつ、挿抜の際に従来のようなケーブルを使用する必要がなく使い勝手がよい。
【図面の簡単な説明】
【図１】本発明のデータ伝送制御装置の実施の形態を示す斜視図である。
【図２】主制御基板および周辺基板がバックボードに完全に挿入され、動作している場合に、周辺基板をバックボードから抜去する際の動作のプロセスを説明するためのチャートである。
【図３】主制御基板および周辺基板がバックボードに完全に挿入され、動作している場合に、もう一枚の周辺基板をバックボードに挿入する際の動作のプロセスを説明するためのチャートである。
【図４】図１の周辺基板の出力回路の例を示す回路図である。
【図５】図１の周辺基板の状態表示用ＬＥＤを駆動するための駆動回路の例を示す回路図である。
【図６】データ伝送制御装置の従来例を示す斜視図である。
【図７】図６の周辺基板の出力回路の例を示す回路図である。
【図８】図６の主制御基板が伝送するデータの流れを時系列で示す図である。
【図９】図８のデータの流れがある場合に、作動中の周辺基板が突然抜去された状態を説明するための図である。
【符号の説明】
１０    筐体
２０    主制御基板
２１，２２，２３    周辺基板
２１ａ，２２ａ，２３ａ    活線挿抜用スイッチ
２１ｂ，２２ｂ，２３ｂ    状態表示用ＬＥＤ（状態表示器）
２１ｄ，２２ｄ，２３ｄ    トライステートデバイス
３０    バックボード
１００    データ伝送制御装置
Ｓ１１〜Ｓ２７    ステップ
【図１】
2004213391.tif 000003
【図２】
2004213391.tif 000004
【図３】
2004213391.tif 000005
【図４】
2004213391.tif 000006
【図５】
2004213391.tif 000007
【図６】
2004213391.tif 000008
【図７】
2004213391.tif 000009
【図８】
2004213391.tif 000010
【図９】
2004213391.tif 000011